(57)【要約】      （修正有）【課題】組立て式箸の製造コストが経済的でありながら組み立てプロセスが容易であり、箸用の収納容器の製造コストが経済的でありながら使い易くてデザインも楽しめて、組立て式箸を収納容器内に収納してもガタツキ音もなく衛生的でコンパクトに携帯することを可能にした、携帯用の箸収納容器を提供する。【構成】筒状容器体１０は容器体一端部１１が閉じられ容器体他端部１２に開口部１３を設けた構造であり、蓋部２０は開口部１３に着脱可能になるよう設計され蓋部一端部２１と蓋部他端部と側面部２３の任意の部位に凹部が形成され蓋部他端部の略平面状になるよう形成させる。箸３０は把持部３８ｂと食物挟持部３２ａ，３２ｂとで形成され、把持部３８ｂと食物挟持部３２ａ，３２ｂとが分離したり結合したりするために凸状結合部と凹状結合部が設けられる。【選択図】図３
0003138455.tif 000002
【実用新案登録請求の範囲】
【請求項１】
一端部が閉じられ他端部に開口部を設けた筒状の容器体と、前記開口部に着脱可能になるよう形成した蓋部と、前記蓋部の一端部には少なくとも一組の箸を着脱可能にし保持するための手段を設けたことを特徴とする、携帯用の箸収納容器。
【請求項２】
前記蓋部の一端部と他端部の間の表面の任意の部位に、前記箸の先端部を載せることが可能な凹部を形成することで、前記蓋部が箸置き具として兼用できることを特徴とする、請求項１に記載の携帯用の箸収納容器。
【請求項３】
前記蓋部の他端部は略平面状になるよう形成させることで、前記蓋部が本考案の箸収納容器の自立具として兼用できることを特徴とする、請求項１に記載の携帯用の箸収納容器。
【請求項４】
前記筒状容器体が透明または半透明になるよう形成させたことを特徴とする、請求項１に記載の携帯用の箸収納容器。
【請求項５】
前記筒状容器体の形状が試験管に類似するように形成したことを特徴とする、請求項１または請求項４に記載の携帯用の箸収納容器。
【請求項６】
前記箸が把持部と食物挟持部で形成されている場合に、把持部と食物挟持部が、組立て手段を介して結合されていることを特徴とする、請求項１に記載の携帯用の箸収納容器。
【請求項７】
前記蓋部を抗菌性を有する材料を用いて形成するか、前記蓋部の表面を抗菌性を有する材料でコーティングさせることを特徴とする、請求項１から請求項３のいずれかに記載の携帯用の箸収納容器。
【考案の詳細な説明】
【技術分野】
【０００１】  本考案は、携帯用の箸収納容器に関するものである。
【背景技術】
【０００２】  箸は、日本人にとって日常生活において欠かすことの出来ない生活必需品であり、特に、外食産業で使用される業務用箸のほとんどが、割り箸等の使い捨ての箸であり、その数、年間およそ３００億本といわれ、膨大な木材資源の浪費を続けている。その結果、ごみの量を増加させ、その焼却処理時に発生する二酸化炭素は、地球温暖化という世界的規模で取組むべき問題となっている。
そこで、近年のエコロジー運動や環境保護の一環として、自分用の箸を箸用の容器に収納して携行して、例えば、外食時、割り箸またはテーブルなどに備えてある割り箸を提供する飲食店においても割り箸を利用しないで自分用の箸を用いて洗浄して再使用するという思想を備えた人たちが増加している。
また、従来から、小学生や中学生や高校生の中には学校の方針によって弁当を持参する場合があることが知られており、その場合弁当等に付随して自前の箸を箸用の容器に収納して携帯させることがある。【０００３】  また、上述した事情によって、自分用の箸を携行する、社会人や前記学生のために、携行するために便利な手段を備えた箸の開発例が増えてきている。
例えば、箸が把持部と食物挟持部で形成されている場合に、把持部と食物挟持部が伸縮可能な手段を介して結合されている場合や、把持部と食物挟持部が分割可能手段を介して組立て式になっている箸などが知られている。【０００４】  また、自分用の箸を携行する、社会人や前記学生のために、携行するために便利な収納容器を備えた箸の開発例として、例えば、食事に必要な箸を入れる容器に関するもので、箸よりやや長い円筒形の両端の円周上の一部に任意の巾に防虫網状の通気孔を、底部には通気孔を設け、底部とフタを支持する枠の内側はネジヤマを以て円筒より自由に着脱するよう構成することを特徴とする、衛生箸入れの開発案件が知られている。（実用新案出願公開、平０１−９５１６９号公報を参照する）
また、例えば、止めホックを備えたサック状の箸袋に、指で保持する根元部分と食物を挟む先端部分とに分割可能な一組の箸棒を収納することを特徴とする、携帯用箸と箸袋の開発案件が知られている。（実用新案出願公開、平０１−３５７７８号公報を参照すること）
また、例えば、格納形態と使用形態とをそれぞれ確実に保持させることにより、収納ケース内に収納して騒音もなく衛生的でコンパクトに携帯することを可能にし、使用の際には確実な剛性感をもって使用できる格納式携帯箸の提供を目的とし、解決手段として、筒状の上部筒内にスライド自在に下部棒が格納可能に構成された格納式携帯箸において、前記上部筒の内周側に軸方向に所定間隔をおいて２つ以上の節度溝を刻設するとともに、これらの節度溝に対応する位置に節度突起を前記下部棒の表面に１つ以上突設したことを特徴とする案件が知られている。（特開平１１−９４１７号公報を参照する）
【考案の開示】
【考案が解決しようとする課題】
【０００５】  ところが、従来の箸用の収納容器では、携帯用箸の長さは一般的には１５〜２５ｃｍ位であるため、従来の箸用の収納容器の長さも１６〜２６ｃｍ位はあるために携帯するには便利であるとはいえない。
また、従来の箸用の収納容器については、携帯中に箸が容器の中でガタツキ音を発し携帯者または周囲の人に不快感を与えることが多かった。
また、従来の組立て式になっている箸に関しても、箸を組立て式にするには、箸の断面形状が限定されるために商品価値を高めるための障害になっていた。
また、従来の組立て式になっている箸に関しては、組立てや分解の際に時間を必要とし、面倒であるという欠点もあるうえに、分解または分割された状態で、例えば、箸用の収納容器に収納すると、ガタつくことで容器内に接触する場合が多くなり利用者に不衛生感を与えることになる。【０００６】  また、例えば、実用新案出願公開、平０１−９５１６９号公報の衛生箸入れの開発案件では、箸よりやや長い円筒形の両端の円周上の一部に任意の巾に防虫網状の通気孔を、底部には通気孔を設け、底部とフタを支持する枠の内側はネジヤマを以て円筒より自由に着脱するよう構成することを特徴とするが、容器には衛生的なイメージが少なく、箸のガタツキ音対策がなされていないので商品的な魅力が少ないという、関連業者からの指摘がなされている。
また、例えば、実用新案出願公開、平０１−３５７７８号公報の携帯用箸と箸袋の開発案件の収納式になっている一組の箸棒に関しては、関連業者からは製造コストがかかる上に、収納部分の破損率も高いため、経済効率が非常に悪いという指摘を受けている。
また、例えば、特開平１１−９４１７号公報の開発案件では、筒状の上部筒内にスライド自在に下部棒が格納可能に構成された格納式携帯箸において、前記上部筒の内周側に軸方向に所定間隔をおいて２つ以上の節度溝を刻設するとともに、これらの節度溝に対応する位置に節度突起を前記下部棒の表面に１つ以上突設したことを特徴とするが、製造コストがかかりすぎて製品化の障害になるという関連業者からの指摘がなされている。【０００７】  本考案は、上記の課題を解決するために成されたものであり、組立て式箸の製造コストが経済的でありながら組み立てプロセスが容易であり、箸用の収納容器の製造コストが経済的でありながら使い易くてデザインも楽しめて、組立て式箸を収納容器内に収納してもガタツキ音もなく衛生的でコンパクトに携帯することを可能にした、携帯用の箸収納容器の提供を目的とする。
【課題を解決するための手段】
【０００８】  課題を解決するための第一の手段（請求項１）は、一端部が閉じられ他端部に開口部を設けた筒状の容器体と、前記開口部に着脱可能になるよう形成した蓋部と、前記蓋部の一端部には少なくとも一組の箸を着脱可能にし保持するための手段を設けたことを特徴とする、携帯用の箸収納容器を提供することである。【０００９】  課題を解決するための第一の手段で記述した、筒状容器体に関しては、筒状の形状が、略三角柱体、略方形柱体、略多角形柱体、略円形柱体、略楕円形柱体、などの中から選択して用いることができる。
課題を解決するための第一の手段で記述した、前記蓋部の一端部には少なくとも一組の箸を着脱可能にし保持するための手段に関しては、この手段の機能や作用を実現させる技術的手段や構造的的手段であれば何を用いても構わない。
その一例としては、一組の管の先端部または後端部と前記蓋部の一端部とを着脱可能に装着できかつ保持できるように少なくとも２個以上の孔部を設けることで、前記蓋部を少なくとも一組の箸の保持具として使用が可能になる。
なお、前記一組の箸に関しては、一般的に市販されているタイプであれば何を用いても構わないが、長さが１５〜２５ｃｍのタイプの使用が好ましい。
課題を解決するための第一の手段で記述した、前記開口部に着脱可能になるよう形成した蓋部に関しては、例えば、前記蓋部の前記開口部に着脱可能になるような形状に形成させる手段に関しては、切削加工でもプレス加工でも鍛造加工でもどちらでもよい。前記蓋部の一端部に少なくとも２個以上の孔部を設ける手段に関しては、切削加工やプレス加工や穿孔加工による穿設孔でも射出成形による成形孔でもよく、成形対象の材料によって検討してもよい。【００１０】  また、前記蓋部の材料に関しては、例えば、木質系素材であれば何を用いても構わないしこれらの中から選択して単独で用いてもよいし組合わせて用いてもよい。また例えば、植物系素材であれば何を用いても構わないし、これらの中から選択して単独で用いてもよいし組合わせて用いてもよい。また例えば、合成樹脂系素材であれば何を用いても構わないし、これらの中から選択して単独で用いてもよいし組合わせて用いてもよい。また例えば、天然ゴム系素材であれば何を用いても構わないし、これらの中から選択して単独で用いてもよいし組合わせて用いてもよい。また例えば、合成ゴム系素材であれば何を用いても構わないし、これらの中から選択して単独で用いてもよいし組合わせて用いてもよい。また例えば、金属系素材であれば何を用いても構わないし、これらの中から選択して単独で用いてもよいし組合わせて用いてもよい。また例えば、セラミック系素材であれば何を用いても構わないし、これらの中から選択して単独で用いてもよいし組合わせて用いてもよい。また例えば、天然石材系素材であれば何を用いても構わないし、これらの中から選択して単独で用いてもよいし組合わせて用いてもよい。また、上述した素材の中から選択して組合わせて用いてもよい。また、上述した素材に関しては、一般的に知られた素材であれば全て選択の対象になる。【００１１】  また、前記孔部の寸法に関しては、本考案で使用することを選択した箸の先端部または後端部それぞれ数ｍｍ〜１０ｍｍ程度を挿入または嵌入できるように設計することが好ましい。【００１２】  課題を解決するための第二の手段（請求項２）は、前記蓋部の一端部と他端部の間の表面の任意の部位に、前記箸の先端部を載せることが可能な凹部を形成することで、前記蓋部が箸置き具として兼用できることを特徴とする、課題を解決するための第一の手段に記載の携帯用の箸収納容器を提供することである。【００１３】  課題を解決するための第二の手段で記述した、前記箸の先端部を載せることが可能な凹部に関しては、例えば前記筒状容器体の筒状の形状に略円形柱体を選択して、この筒状容器体の開口部に合わせて設計した蓋部の一端部と他端部の間の表面すなわち前記蓋部の側面部の任意の位置に前記箸の先端部を載置した時に箸が動かない状態を保持できる凹状や窪み状や溝状やＵ字状やＶ字状やＷ字状やジグザグ状やノコギリ状やこれらの組合せの寸法を決めればよい。前記凹部を形成する手段に関しては、選択した素材や設計した形状に合わせて切削加工やプレス加工や射出成形や鍛造加工の中から選択して用いればよい。なお、前記素材が軟質系である場合と硬質系である場合では前記箸の先端部と前記蓋部の側面部との接触可能領域の滑り度に変化���生じるので前記凹部の形状もそれを考慮して設計することが好ましい。【００１４】  課題を解決するための第三の手段（請求項３）は、前記蓋部の他端部は略平面状になるよう形成させることで、前記蓋部が本考案の箸収納容器の自立具として兼用できることを特徴とする、課題を解決するための第一の手段に記載の携帯用の箸収納容器を提供することである。【００１５】  課題を解決するための第三の手段で記述した、前記蓋部が本考案の箸収納容器の自立具として兼用できることに関しては、例えば前記筒状容器体の筒状の形状に略円形柱体を選択して、この筒状容器体の開口部に合わせて設計した蓋部の一端部が前記筒状容器体の内部側になり蓋部の他端部が前記筒状容器体の外部側になることで前記蓋部の他端部はすなわち本考案の箸収納容器の正面部となり、この正面部を、例えば食台または食卓またはテーブルの表面に対して平滑にかつ水平になるように形成させることで、前記蓋部の一端部を前記筒状容器体の内部側に挿入または嵌入または螺入して前記蓋部の他端部を例えば食台または食卓またはテーブルの表面に載置したときに本考案の箸収納容器は自立し、前記蓋部が本考案の箸収納容器の自立具として作用することを特徴とする。
また、前記蓋部の他端部を平滑にかつ水平になるように形成させる手段に関しては、前記蓋部の素材が軟質系である場合と硬質系である場合では前記蓋部の他端部と例えば食台または食卓またはテーブルの表面との滑り度または密着度に変化が生じるので前記蓋部の他端部の形成手段もそれを考慮して設計することが好ましい。【００１６】  課題を解決するための第四の手段（請求項４）は、前記筒状容器体が透明または半透明になるよう形成させたことを特徴とする、課題を解決するための第一の手段に記載の携帯用の箸収納容器を提供することである。【００１７】  課題を解決するための第四の手段で記述した、前記筒状容器体を透明になるよう形成させることに関しては、前記筒状容器体に収納した前記箸の清潔度や汚染の有無や経年変化や破損の有無や装着状況を目視してチェックするために実施されるものであり、前記筒状容器体の少なくとも一部または概略全体が透明になるよう形成させる手段に関しては、前記素材の中から透明素材を選択してもよいし前記形成手段として設計段階から選択させるようにしてもよい。
課題を解決するための第四の手段で記述した、前記筒状容器体を半透明になるよう形成させることに関しては、前記筒状容器体に収納した前記箸の清潔度や汚染の有無や経年変化や破損の有無や装着状況を目視してチェックするために実施されるものであり、前記筒状容器体の少なくとも一部または概略全体が半透明になるよう形成させる手段に関しては、前記素材の中から半透明素材を選択してもよいし前記素材の中から透明素材を選択して色素または添加物等を適宜用いて半透明になるようにしてもよいし前記形成手段として設計段階から選択させるようにしてもよい。【００１８】  課題を解決するための第五の手段（請求項５）は、前記筒状容器体の形状が試験管に類似するように形成したことを特徴とする、課題を解決するための第一の手段または課題を解決するための第四の手段に記載の携帯用の箸収納容器を提供することである。【００１９】  課題を解決するための第五の手段で記述した、前記筒状容器体の形状が試験管に類似するように形成することに関しては、例えば前記筒状容器体の筒状の形状に略円形柱体を選択して、前記筒状容器体の他端部に開口部を設けるよう形成させ、前記筒状容器体の一端部を略半球状になるよう形成させ、前記筒状容器体を透明になるよう形成することを選択することで、前記筒状容器体の形状が試験管に類似させることを意図しているが、市販されている試験管を本考案の箸収納容器として使用することも可能である。【００２０】  課題を解決するための第六の手段（請求項６）は、前記箸が把持部と食物挟持部で形成されている場合に、把持部と食物挟持部が、組立て手段を介して結合されていることを特徴とする、課題を解決するための第一の手段に記載の携帯用の箸収納容器を提供することである。【００２１】  課題を解決するための第六の手段で記述した、前記箸が把持部と食物挟持部で形成されている場合に、把持部と食物挟持部が、組立て手段を介して結合されていることに関しては、例えば、前記把持部と前記食物挟持部が伸縮可能または折り曲げ可能または分離可能になる手段であれば何を用いても構わない。
前記結合手段に関しては、前記把持部と前記食物挟持部が着脱可能な関係になっていれば、一般的に知られた手段を用いればよく、どんな手段を用いても構わないものとする。
前記把持部または前記食物挟持部は、木製、竹製、合成樹脂製、金属製の中から選択でき単体で使用しても組合わせて使用してもよい。【００２２】  課題を解決するための第七の手段（請求項７）は、前記蓋部を抗菌性を有する材料を用いて形成するか、前記蓋部の表面を抗菌性を有する材料でコーティングさせることを特徴とする、課題を解決するための第一の手段から課題を解決するための第三の手段のいずれかに記載の携帯用の箸収納容器を提供することである。【００２３】  課題を解決するための第七の手段で記述した、前記蓋部を抗菌性を有する材料を用いて形成することに関しては、前記蓋部を形成する材料に前記素材の中から選択した後に、０．１重量％〜５重量％の範囲で一般的に知られた抗菌材料を添加すればよく、一般的には前記抗菌材料が０．１重量％未満では効果が少なく５重量％以上では効果に比べてコストが上昇し使用しづらくなる。なお、前記抗菌性材料に関しては、一般的には微粉体（有機性または無機性）や水溶性液体（酸性またはアルカリ性）や油溶性液体（アルコール系または界面活性剤）の状態で知られるようになってきているのでそれらの中から選択して用いればよく、特に制限はない。
課題を解決するための第七の手段で記述した、前記蓋部の表面を抗菌性を有する材料でコーティングすることに関しては、前記抗菌性材料の中から選択した少なくとも一種を添加した塗料を付着させたり、抗菌性を有する金属を鍍着させたり、前記抗菌性材料の中から選択した少なくとも一種をプラズマ蒸着させたり、前記抗菌性材料の中から選択した少なくとも一種を静電塗装させたりする。
【考案の効果】
【００２５】  以上の構成からなる本考案の携帯用の箸収納容器を提供できることで、以下のような優れた効果を奏することができる。
本考案は、箸置き、組立式の箸の保持具、組立式の箸、組立式の箸の収納容器が一体となっているので、収納状態での全体の体積を小さくすることができるのでコンパクトになり携帯性に優れる。【００２６】  また、本考案の携帯用の箸収納容器によって、箸置きや組立式の箸の保持具になる蓋部が、一般的な二本の箸の先端部を保護する箸先端部保護具としての作用を持たせることで携帯用の箸の寿命を延ばすことが可能になる。【００２７】  また、本考案の携帯用の箸収納容器によって、箸置きや組立式の箸の保持具や箸の先端部を保護する箸先端部保護具になる蓋部の材料または蓋部の表面に、抗菌性を備えた材料を用いることで、前記蓋部を、抗菌性を備えた箸置きとして、抗菌性を備えた組立式の箸の保持具として、抗菌性を備えた箸先端部保護具としての、機能が強化された前記蓋部を提供できることで、本考案の利用者にはより一層の安心感を与えることができる。【００２８】  また、上述した効果を備えた本考案の携帯用の箸収納容器によって、外出時や外食時に使い捨てタイプの箸の利用が理論的に無くなるので、本考案が普及することは、我が国のまたは世界的に資源の無駄が減少し、結果的に地球温暖化の対策に貢献することが可能になる。【００２９】  また、上述した効果を備えた本考案の携帯用の箸収納容器によって、本考案で採用した分割可能で組み立てて使用するタイプの箸が分割した状態で前記箸収納容器内で収納中に固定しながら保持でき、さらに前記蓋部を前記箸収納容器から分離した後に前記蓋部を食卓やテーブルに自立させることができるので、前記組立て式箸を組立てて使用することが容易になる。【００３０】  また、上述した効果を備えた本考案の携帯用の箸収納容器によって、本考案で採用した分割可能で組み立てて使用するタイプの箸が分割した状態で前記箸収納容器内で収納中に固定しながら保持できるので、前記一組の箸同士または前記分離状態の箸同士と前記箸収納容器の内面とが接触することがないので、それぞれが接触して発する不快音がなく衛生的である。したがって、本考案の利用者には安心感と満足感を与えることができる。【００３１】  また、上述した効果を備えた本考案の携帯用の箸収納容器の蓋部の他端部を略平面状になるよう形成させると共に、前記他端部の縁形状を略方形になるよう形成させることで、前記蓋部を箸置きとして使用する場合でも安定的に食卓やテーブルに載置することができる。【００３２】  また、上述した効果を備えた本考案の携帯用の箸収納容器の形状を、例えば本考案の中で提示した試験管に類似した形状を選択することで、携帯性に優れ、デザイン性に優れているので、本考案の利用者を増加させることができ、結果的に環境問題の解決に貢献できると同時に、本考案の利用者に対しても使用することの満足感も与えることが可能となる。【００３３】  また、上述した効果を備えた本考案の携帯用の箸収納容器の形状を、例えば本考案の中で提示した試験管に類似した形状を選択することと、本考案の蓋部の作用により、製造プロセスが簡単なので経済的に優れた製品を提供することができるので、結果的に本考案に満足した利用者を増加させることができ、かつ環境問題の解決に貢献できる製品の提供が可能と��る。
【考案を実施するための最良の形態】
【００３５】  以下、本考案の携帯用の箸収納容器を提供するための実施の形態の一例について、図１〜図１０に基づいて説明する。なお本考案は、当業者であれば、本明細書に記載の内容によって本考案の技術的特徴や効果を容易に理解できる。本考案に係る実質的な技術内容は、広汎に実用新案登録請求の範囲内に定義される。また、本考案は図示の実施の形態に限定されるものではなく、本考案の要旨の範囲内で数々の変更態様が可能であることは言うまでもない。
図１は本考案の実施の形態例を示す概略説明図であり、図２は本考案の実施の形態例を示す概略説明図であり、図３は本考案の実施の形態例を示す側面図であり、図４は本考案の実施の形態例を示す側面図であり、図５は本考案の実施の形態例を示す側面図であり、図６は本考案の実施の形態例を示す正面図であり、図７は本考案の実施の形態例を示す側面図であり、図８は本考案の実施の形態例を示す側面透視図であり、図９は本考案の実施の形態例を示す底面図であり、図１０は本考案の実施の形態例を示す概略説明図である。
【実施例１】
【００３６】  図１から図１０を用いて本考案の概略を説明すると、１０は略円形柱体になるよう設計された筒状の容器体であり、筒状容器体１０は容器体一端部１１が閉じられ容器体他端部１２に開口部１３を設けた構造であり、２０は筒状容器体１０の蓋部であり、蓋部２０は開口部１３に着脱可能になるよう設計され蓋部２０の一端部２１と蓋部２０の他端部２２と蓋部一端部２１と蓋部他端部２２の間にある側面部２３の任意の部位には凹部２４が形成され蓋部他端部２２の略平面状になるよう形成させる。３０は組立て式の一組の箸であり、箸３０は把持部３８ａ，３８ｂと食物挟持部３２ａ，３２ｂとで形成され、把持部３８ａ，３８ｂと食物挟持部３２ａ，３２ｂとが分離したり結合したりするために凸状結合部３３ａ，３３ｂと凹状結合部３７ａ，３７ｂが設けられる。蓋部２０の蓋部一端部２１には少なくとも一組の箸３０を着脱可能にし保持するための手段を設けるが、本実施例では、箸３０は、箸３０の箸先端部３１ａ，３１ｂまたは箸後端部３９ａ，３９ｂで構成された箸でもあり、箸３０の先端部３１ａ，３１ｂまたは後端部３９ａ，３９ｂと蓋部一端部２１とを着脱可能に装着できかつ保持できるように設計され形成した孔状である孔部２２ａ，孔部２２ｂ，孔部２３ａ，孔部２３ｂを設けることで、蓋部２０は箸３０の保持具として機能する。
【実施例２】
【００３７】  図１から図１０を用いて筒状容器体１０と蓋部２０と箸３０の関係を説明すると、蓋部一端部２１に設けてある、孔部２２ａには箸後端部３９ａまたは箸後端部３９ｂが装着したり取り外したりされ、孔部２２ｂには箸後端部３９ａまたは箸後端部３９ｂが装着したり取り外したりされ、孔部２３ａには箸先端部３１ａまたは箸先端部３１ｂが装着したり取り外したりされ、孔部２３ｂには箸先端部３１ａまたは箸先端部３１ｂが装着したり取り外したりされ、開口部１３には蓋部一端部２１から嵌入され容器体他端部１２の内面を側面部２３が数ｍｍ単位で摺動した後に略１０ｍｍ以内で密着し固定され本考案の実施時には開口部１３から蓋部２０は取り外される。蓋部２０から箸３０が取り外され、凸状結合部３３ａは凹状結合部３７ａまたは凹状結合部３７ｂに嵌合され、凸状結合部３３ｂは凹状結合部３７ａまたは凹状結合部３７ｂに嵌合されることで、箸３０は使用可能状態になる。蓋部２０を食卓やテーブルに凹部２４が上方になるように載置することで蓋部２０は箸３０の箸置き具として機能する。
【実施例３】
【００３８】  図１から図３を用いて筒状容器体１０と蓋部２０と箸３０の関係を説明すると、筒状容器体１０は透明な合成樹脂製で全体の形状が試験管をイメージするように形成してあり、そのために容器体一端部１１は略半球状になるよう形成する。蓋部一端部２１に凸状結合部３３ａと凸状結合部３３ｂと凹状結合部３７ａと凹状結合部３７ｂは夫々装着された状態で筒状容器体１０に収納される。蓋部２０に箸３０が保持および固定された状態で蓋部２０が筒状容器体１０に保持および固定されることで、箸３０は把持部３８ａや把持部３８ｂや食物挟持部３２ａや食物挟持部３２ｂが夫々接触することがないので箸同士が接触するときに発する不快音がなく、分離状態の箸３０と筒状容器体１０の内面とが接触することがないので接触した場合に発する不快音がなく、それぞれが接触しないので衛生的な本考案の携帯用の箸収納容器を提供できる。
【実施例４】
【００３９】  図６から図１０を用いて蓋部２０と箸３０の関係を説明すると、蓋部２０を構成する材料に関しては、合成ゴム系素材を選択するが、合成ゴム系素材であれば何を用いても構わないし、これらの中から選択して単独で用いてもよいし組合わせて用いてもよい。側面部２３の任意の部位に、箸３０の先端部３１ａや先端部３１ｂを載せることが可能になるよう設計された凹部２４を形成することで、蓋部２０が箸置き具として兼用できることを特徴とするが、形成手段に関しては、金型を用いた射出成形が好ましく、この場合、孔部２２ａ，孔部２２ｂ，孔部２３ａ，孔部２３ｂも略平面形状で略方形の蓋部他端部２２なども同時に成形することが可能になる。
【実施例１０】
【００４４】  本明細書の中で上記において引用されたすべての参考文献は完全にそのまま参照部に取り込まれる。
【産業上の利用可能性】
【００４５】  本考案の携帯用の箸収納容器は、箸以外でも、例えば、フォーク、ナイフないしスプーン等の食器でも応用できる。また、本考案の携帯用の箸収納容器は、上述した説明のように、実用性、先進性に非常に優れた改良構造であり、産業界の推進により、広く社会に伝える価値がある考案である。
【図面の簡単な説明】
【００４６】
【図１】本考案の実施の形態例を示す概略説明図である。
【図２】本考案の実施の形態例を示す概略説明図である。
【図３】本考案の実施の形態例を示す側面図である。
【図４】本考案の実施の形態例を示す側面図である。
【図５】本考案の実施の形態例を示す側面図である。
【図６】本考案の実施の形態例を示す正面図である。
【図７】本考案の実施の形態例を示す側面図である。
【図８】本考案の実施の形態例を示す側面透視図である。
【図９】本考案の実施の形態例を示す底面図である。
【図１０】本考案の実施の形態例を示す概略説明図である。
【符号の説明】
【００４７】１０・・筒状容器体    １１・・容器体一端部    １２・・容器体他端部
１３・・開口部    ２０・・蓋部    ２１・・蓋部一端部
２２・・蓋部他端部    ２２ａ・・孔部    ２２ｂ・・孔部    ２３・・側面部
２３ａ・・孔部    ２３ｂ・・孔部    ２４・・凹部    ３０・・箸
３１ａ・・箸先端部    ３１ｂ・・箸先端部    ３２ａ・・食物挟持部
３２ｂ・・食物挟持部    ３３ａ・・凸状結合部    ３３ｂ・・凸状結合部
３７ａ・・凹状結合部    ３７ｂ・・凹状結合部    ３８ａ・・把持部
３８ｂ・・把持部    ３９ａ・・箸後端部    ３９ｂ・・箸後端部
【図１】
0003138455.tif 000003
【図２】
0003138455.tif 000004
【図３】
0003138455.tif 000005
【図４】
0003138455.tif 000006
【図５】
0003138455.tif 000007
【図６】
0003138455.tif 000008
【図７】
0003138455.tif 000009
【図８】
0003138455.tif 000010
【図９】
0003138455.tif 000011
【図１０】
0003138455.tif 000012